(57)【要約】【課題】  治具などを用いることなく一人で簡単に、かつ、強固に組み立てることができるとともに、コストを削減できるダストボックスを提供する。【解決手段】底板２の後端縁および前端縁に嵌合凹部および嵌合凸部を介して背板５および前板６を立設する一方、底板２の左右各端縁に嵌合凹部および嵌合凸部を介して左右各側板３，４を立設するとともに、左右各側板３，４の一対の挾持部３１，４１で背板５の左右端部および前板６の左右端部を挟持した後、左右各側板３，４を底板２に連結ボルトナットを介して固定する一方、蓋板７の後蓋７１を背板５および左右各側板３，４にセルフタップねじを介して固定するとともに、その裏面に配置されたパイプ部材を介して左右各側板３，４にボルトを介して固定する。【選択図】  図２
2005239395.tif 000002
【特許請求の範囲】
【請求項１】
それぞれブロー成形によって形成された方形状の底板と、左右各側板と、背板と、前板と、蓋板と、から構成され、底板の表面側各端縁に１個もしくは複数個の嵌合凹部または嵌合凸部が形成される一方、左右各側板の左右各側端面に背板および前板の挟持部が形成されるとともに、各挾持部の下端面に１個の嵌合凹部または嵌合凸部が形成され、また、左右各側板、背板および前板の各下端面に、底板の表面側各端縁に形成された嵌合凹部または嵌合凸部に嵌合可能な嵌合凸部または嵌合凹部が形成されるとともに、背板の上端面の左右各端部および前板の上端面の左右各端部に、左右各側板の挾持部の下端面に形成された嵌合凹部または嵌合凸部に嵌合可能な嵌合凸部または嵌合凹部が形成され、さらに、蓋板は、後蓋および後蓋に回動自在に連結された開閉蓋からなるとともに、背板の上端面、左右各側板の上端面および前板の上端面に沿うように形成されてなり、前板および背板が底板の前後各端縁に嵌合凹部および嵌合凸部を介して立設されるとともに、底板の左右各端縁に嵌合凹部および嵌合凸部を介して立設される左右各側板の一対の挟持部で嵌合凹部および嵌合凸部を介して挟持され、また、左右各側板が底板に固定される一方、蓋板の後蓋が背板および左右側板に固定されることを特徴とするダストボックス。
【請求項２】
それぞれブロー成形によって形成された方形状の底板と、左右各側板と、背板と、前板と、蓋板と、から構成され、底板の表面側各端縁に１個もしくは複数個の嵌合凹部または嵌合凸部が形成される一方、左右各側板の左右各側端面に背板および前板の挟持部が形成されるとともに、各挾持部の下端面に１個の嵌合凹部または嵌合凸部が形成され、また、左右各側板、背板および前板の各下端面に、底板の表面側各端縁に形成された嵌合凹部または嵌合凸部に嵌合可能な嵌合凸部または嵌合凹部が形成されるとともに、背板の上端面の左右各端部および前板の上端面の左右一端部に、左右各側板の挾持部の下端面に形成された嵌合凹部または嵌合凸部に嵌合可能な嵌合凸部または嵌合凹部が形成され、さらに、蓋板は、後蓋および後蓋に回動自在に連結された開閉蓋からなるとともに、背板の上端面、左右各側板の上端面および前板の上端面に沿うように形成されてなり、前板および背板が底板の前後各端縁に嵌合凹部および嵌合凸部を介して立設されるとともに、底板の左右各端縁に嵌合凹部および嵌合凸部を介して立設される左右各側板の一対の挟持部で前板の上端面の左右他端部を除いて嵌合凹部および嵌合凸部を介して挟持され、また、左右各側板が底板に固定される一方、蓋板の後蓋が背板および左右側板に固定されることを特徴とするダストボックス。
【請求項３】
前記底板の表面側各端縁のうち、前端縁に１個の嵌合凸部または嵌合凹部が形成される一方、前板の下端面に、底板の前端縁に形成された嵌合凸部または嵌合凹部に嵌合可能な嵌合凹部または嵌合凸部が形成されていることを特徴とする請求項２記載のダストボックス。
【請求項４】
前記前板の上端側左右各隅角部および背板の上端側左右各隅角部に、左右各側板の一対の挾持部に対応する切欠部が形成されていることを特徴とする請求項１または２記載のダストボックス。
【請求項５】
前記蓋板の開閉蓋が、後蓋に回動自在に連結された天板および天板に回動自在に連結された前蓋からなることを特徴とする請求項１または２記載のダストボックス。
【請求項６】
前記左右各側板の上端面の内面側、背板の上端面の内面側および前板の上端面の内面側にそれぞれ堤部が形成され、一方、蓋板の裏面側各端縁の内面側に、左右各側板の上端面に形成された堤部、背板の上端面に形成された堤部および前板の上端面に形成された堤部に嵌合可能な凹部が形成されていることを特徴とする請求項１または２記載のダストボックス。
【請求項７】
前記底板は、表面側各端縁の嵌合凹部または嵌合凸部の内方に位置して連続する堤部を有するとともに、堤部の内面から略中央に形成された排水口に向かって下り勾配の底面を有することを特徴とする請求項１または２記載のダストボックス。
【請求項８】
底板の前後各端縁に嵌合凹部および嵌合凸部を介して前板および背板を立設した後、底板の左右各端縁に嵌合凹部および嵌合凸部を介して左右各側板を立設して、左右各側板の一対の挾持部で嵌合凹部および嵌合凸部を介して背板の左右各端部および前板の左右各端部を挟持し、次いで、左右各側板を底板にねじ固定する一方、蓋板の後蓋を背板および左右各側板にねじ固定することを特徴とするダストボックスの組み立て方法。
【請求項９】
底板の後端縁に嵌合凹部および嵌合凸部を介して背板を立設した後、底板の左右一端縁に嵌合凹部および嵌合凸部を介して左右一側板を立設して、左右一側板の一方の挾持部で嵌合凹部および嵌合凸部を介して背板の左右一端部を挟持し、次いで、底板の前端縁に嵌合凹部および嵌合凸部を介して前板を立設するとともに、左右一側板の他方の挾持部で嵌合凹部および嵌合凸部を介して前板の左右一端部を挟持し、この後、底板の左右他端縁に嵌合凹部および嵌合凸部を介して左右他側板を立設して、左右他側板の一方の挾持部で嵌合凹部および嵌合凸部を介して背板の左右他端部を挟持するとともに、左右他側板の他方の挾持部で前板の左右他端部を挟持した後、左右各側板を底板にねじ固定する一方、蓋板の後蓋を背板および左右各側板にねじ固定することを特徴とするダストボックスの組み立て方法。
【発明の詳細な説明】
【技術分野】
【０００１】
本発明は、マンションや事務所、コンビニエンスストアなどに設置されるダストボックスに関するものである。
【背景技術】
【０００２】
一般に、ダストボックスは、プラスチックあるいは鋼板などから形成された底壁、左右各側壁、後壁、前壁および開閉蓋から構成され、メーカーにて組み立てられた後、マンションや事務所、コンビニエンスストアなどの設置場所に輸送され、使用されている。
【０００３】
例えば、特許文献１に示されるように、後壁および前壁を長さの異なる複数の後壁および前壁を組み合わせて形成するとともに、左右側壁を設定長さのパイプによって連結することにより、容積の異なるダストボックスを製造することが提案されている。
【０００４】
また、特許文献２に示されるように、開閉蓋を天板および該天板に回動自在に連結された一対の扉板から構成し、扉板を天板に対して回動させて形成される第１の投入口と、扉板を天板に折り畳んで他方の扉板に対して回動させて形成される第２の投入口とを選択できるダストボックスが提案されている。
【特許文献１】特許第３１９１２０６号公報
【特許文献２】特開平９−１５０９０８号公報
【発明の開示】
【発明が解決しようとする課題】
【０００５】
ところで、前述した特許文献のダストボックスにおいては、メーカーにて底壁、左右各側壁、後壁、前壁および開閉蓋をそれぞれ製造するとともに、作業者が適宜治具などを用いて組み立てた後、使用者に向けて輸送するようにしている。したがって、組み立てたダストボックスを保管するスペースが必要になり、保管コストが必要になるとともに、重量に比して容積が大きいため、輸送費がかさむという問題があった。
【０００６】
本発明は、このような問題点に鑑みてなされたもので、治具などを用いることなく一人で簡単に、かつ、強固に組み立てることができるとともに、コストを削減することのできるダストボックスおよびその組立方法を提供するものである。
【課題を解決するための手段】
【０００７】
本発明のダストボックスは、それぞれブロー成形によって形成された方形状の底板と、左右各側板と、背板と、前板と、蓋板と、から構成され、底板の表面側各端縁に１個もしくは複数個の嵌合凹部または嵌合凸部が形成される一方、左右各側板の左右各側端面に背板および前板の挟持部が形成されるとともに、各挾持部の下端面に１個の嵌合凹部または嵌合凸部が形成され、また、左右各側板、背板および前板の各下端面に、底板の表面側各端縁に形成された嵌合凹部または嵌合凸部に嵌合可能な嵌合凸部または嵌合凹部が形成されるとともに、背板の上端面の左右各端部および前板の上端面の左右各端部に、左右各側板の挾持部の下端面に形成された嵌合凹部または嵌合凸部に嵌合可能な嵌合凸部または嵌合凹部が形成され、さらに、蓋板は、後蓋および後蓋に回動自在に連結された開閉蓋からなるとともに、背板の上端面、左右各側板の上端面および前板の上端面に沿うように形成されてなり、前板および背板が底板の前後各端縁に嵌合凹部および嵌合凸部を介して立設されるとともに、底板の左右各端縁に嵌合凹部および嵌合凸部を介して立設される左右各側板の一対の挟持部で嵌合凹部および嵌合凸部を介して挟持され、また、左右各側板が底板に固定される一方、蓋板の後蓋が背板および左右側板に固定されることを特徴とするも
のである。
【０００８】
本発明によれば、底板の前後各端縁に前板および背板を嵌合凹部および嵌合凸部を介して立設した後、底板の左右各端縁に左右各側板を嵌合凹部および嵌合凸部を介して立設し、合わせて左右各側板の一対の挟持部で嵌合凹部および嵌合凸部を介して背板および前板を挟持する。次いで、左右各側板を底板に固定する一方、蓋板の後蓋を背板および左右各側板に固定する。
【０００９】
この結果、底板に対して立設状態で固定される左右各側板を利用して背板および前板を立設状態で挾持する一方、左右各側板および背板に蓋板の後蓋を固定することにより、構成部品を相互に関連させた強固なダストボックスを簡単に組み立てることができる。
【００１０】
本発明のダストボックスは、それぞれブロー成形によって形成された方形状の底板と、左右各側板と、背板と、前板と、蓋板と、から構成され、底板の表面側各端縁に１個もしくは複数個の嵌合凹部または嵌合凸部が形成される一方、左右各側板の左右各側端面に背板および前板の挟持部が形成されるとともに、各挾持部の下端面に１個の嵌合凹部または嵌合凸部が形成され、また、左右各側板、背板および前板の各下端面に、底板の表面側各端縁に形成された嵌合凹部または嵌合凸部に嵌合可能な嵌合凸部または嵌合凹部が形成されるとともに、背板の上端面の左右各端部および前板の上端面の左右一端部に、左右各側板の挾持部の下端面に形成された嵌合凹部または嵌合凸部に嵌合可能な嵌合凸部または嵌合凹部が形成され、さらに、蓋板は、後蓋および後蓋に回動自在に連結された開閉蓋からなるとともに、背板の上端面、左右各側板の上端面および前板の上端面に沿うように形成されてなり、前板および背板が底板の前後各端縁に嵌合凹部および嵌合凸部を介して立設されるとともに、底板の左右各端縁に嵌合凹部および嵌合凸部を介して立設される左右各側板の一対の挟持部で前板の上端面の左右他端部を除いて嵌合凹部および嵌合凸部を介して挟持され、また、左右各側板が底板に固定される一方、蓋板の後蓋が背板および左右側板に固定されることを特徴とするものである。
【００１１】
本発明によれば、底板の前後各端縁に前板および背板を嵌合凹部および嵌合凸部を介して立設した後、底板の左右各端縁に左右各側板を嵌合凹部および嵌合凸部を介して立設し、合わせて左右各側板の一対の挟持部で前板の上端面の左右他端部を除いて嵌合凹部および嵌合凸部を介して背板および前板を挟持する。次いで、左右各側板を底板に固定する一方、蓋板の後蓋を背板および左右各側板に固定する。
【００１２】
この結果、底板に対して立設状態で固定される左右各側板を利用して背板および前板を立設状態で挾持する一方、左右各側板および背板に蓋板の後蓋を固定することにより、構成部品を相互に関連させた強固なダストボックスを簡単に組み立てることができる。
【００１３】
この場合、前板は、その左右一端部が底板および左右一側板に嵌合凹部および嵌合凸部を介して挟持されて、垂直軸回りに回動自在となる。したがって、前板をその左右一端部を中心に回動させることができ、合わせて蓋板の開閉蓋を開放することによって大きな開口を形成することが可能となることから、内部に収容されたごみ袋を容易に取り出すことができる。
【００１４】
本発明において、前記底板の表面側各端縁のうち、前端縁に１個の嵌合凸部または嵌合凹部が形成される一方、前板の下端面に、底板の前端縁に形成された嵌合凸部または嵌合凹部に嵌合可能な嵌合凹部または嵌合凸部が形成されていると、前板を回動させて開口を閉鎖した際、嵌合凸部と嵌合凹部が嵌合して底板に対する前板の開き出しが規制される。したがって、通常、前板は、開口を閉鎖する位置に保持される。一方、前板を強制的に引き出せば、嵌合凸部と嵌合凹部との嵌合状態を解除することができるため、底板に対して
前板を左右一端部を中心に回動させることができる。
【００１５】
本発明において、前記前板の上端側左右各隅角部および背板の上端側左右各隅角部に、左右各側板の一対の挾持部に対応する切欠部が形成されていると、前板の上端面および背板の上端面と、左右各側板の一対の挾持部の上端面とが面一に連続し、蓋板の開閉蓋を開放してごみ袋を投入する際、左右各側板の一対の挾持部が突起物としてごみ袋と干渉することがなく、好ましい。
【００１６】
本発明において、前記蓋板の開閉蓋が、後蓋に回動自在に連結された天板および天板に回動自在に連結された前蓋からなると、ごみ袋の大きさに合わせて、前蓋を天板に対して回動させて開口を形成する場合と、前蓋を天板に対して回動させて天板に折り畳み、さらに、天板を後蓋に対して回動させてより大きな開口を形成する場合とを選択することができる。しかも、前蓋および天板に相当する面積の開口を形成する際、前蓋を天板に折り畳んだ状態で天板を後蓋に対して回動させるため、重心の回転半径が小さくなり、開閉操作を容易に行うことができる。
【００１７】
本発明において、前記左右各側板の上端面の内面側、背板の上端面の内面側および前板の上端面の内面側にそれぞれ堤部が形成され、一方、蓋板の裏面側各端縁の内面側に、左右各側板の上端面に形成された堤部、背板の上端面に形成された堤部および前板の上端面に形成された堤部に嵌合可能な凹部が形成されていると、左右各側板の上端面、背板の上端面および前板の上端面と、蓋板の裏面側各端縁との突き合わせ部に浸入した雨水などは、凹部と嵌合状態の堤部を乗り越えることなく堤部に沿って流下する。このため、内部に雨水などが浸入するのを確実に防止できる。
【００１８】
本発明において、前記底板は、表面側各端縁の嵌合凹部または嵌合凸部の内方に位置して連続する堤部を有するとともに、堤部の内面から略中央に形成された排水口に向かって下り勾配の底面を有すると、左右各側板の下端面、背板の下端面および前板の下端面と、底板の表面側各端縁との突き合わせ部に浸入した雨水などは、堤部を乗り越えることがない。また、ごみ袋などから漏出した汚水は、排水口を通して排水することができるとともに、その表面を水洗いして清掃することができる。
【００１９】
本発明のダストボックスの組立方法は、底板の前後各端縁に嵌合凹部および嵌合凸部を介して前板および背板を立設した後、底板の左右各端縁に嵌合凹部および嵌合凸部を介して左右各側板を立設して、左右各側板の一対の挾持部で嵌合凹部および嵌合凸部を介して背板の左右各端部および前板の左右各端部を挟持し、次いで、左右各側板を底板にねじ固定する一方、蓋板の後蓋を背板および左右各側板にねじ固定することを特徴とするものである。
【００２０】
本発明によれば、底板、左右各側板、背板、前板、蓋板の構成部品を取り出し、底板の前後各端縁に前板および後板を嵌合凹部および嵌合凸部を介して立設した後、底板の左右各端縁に左右各側板を嵌合凹部および嵌合凸部を介して立設し、合わせて左右各側板の一対の挟持部で嵌合凹部および嵌合凸部を介して背板および前板を挟持する。次いで、左右各側板を底板にねじ固定する一方、蓋板の後蓋を、背板および左右各側板にねじ固定する。
【００２１】
ここで、ねじとしては、例えば、ボルトナットやセルフタップねじを用いることができる。
【００２２】
この結果、構成部品を相互に関連させた強固なダストボックスを治具などを用いることなく一人で簡単に組み立てることができる。また、重量の割に容積の大きなダストボック
スを組み立てて保管し、輸送する場合に比較して、保管スペースおよび輸送費を大幅に削減することができる。
【００２３】
本発明のダストボックスの組立方法は、底板の後端縁に嵌合凹部および嵌合凸部を介して背板を立設した後、底板の左右一端縁に嵌合凹部および嵌合凸部を介して左右一側板を立設して、左右一側板の一方の挾持部で嵌合凹部および嵌合凸部を介して背板の左右一端部を挟持し、次いで、底板の前端縁に嵌合凹部および嵌合凸部を介して前板を立設するとともに、左右一側板の他方の挾持部で嵌合凹部および嵌合凸部を介して前板の左右一端部を挟持し、この後、底板の左右他端縁に嵌合凹部および嵌合凸部を介して左右他側板を立設して、左右他側板の一方の挾持部で嵌合凹部および嵌合凸部を介して背板の左右他端部を挟持するとともに、左右他側板の他方の挾持部で前板の左右他端部を挟持した後、左右各側板を底板にねじ固定する一方、蓋板の後蓋を背板および左右各側板にねじ固定することを特徴とするものである。
【００２４】
本発明によれば、底板、左右各側板、背板、前板、蓋板の構成部品を取り出し、底板の後端縁に背板を嵌合凹部および嵌合凸部を介して立設した後、底板の左右一端縁に左右一側板を嵌合凹部および嵌合凸部を介して立設して、左右一側板の一方の挾持部で嵌合凹部および嵌合凸部を介して背板の左右一端部を挟持する。次いで、底板の前端縁に嵌合凹部および嵌合凸部を介して前板を立設するとともに、左右一側板の他方の挾持部で嵌合凹部および嵌合凸部を介して前板の左右一端部を挟持する。この後、底板の左右他端縁に左右他側板を嵌合凹部および嵌合凸部を介して立設して、左右他側板の一方の挾持部で嵌合凹部および嵌合凸部を介して背板の左右他端部を挟持するとともに、左右他側板の他方の挾持部で前板の左右他端部を挟持する。次いで、左右各側板を底板にねじ固定する一方、蓋板の後蓋を、背板および左右各側板にねじ固定する。
【００２５】
ここで、ねじとしては、例えば、ボルトナットやセルフタップねじを用いることができる。
【００２６】
この結果、開閉自在な前板を有するとともに、構成部品を相互に関連させた強固なダストボックスを治具などを用いることなく一人で簡単に組み立てることができる。また、重量の割に容積の大きなダストボックスを組み立てて保管し、輸送する場合に比較して、保管スペースおよび輸送費を大幅に削減することができる。
【発明の効果】
【００２７】
本発明によれば、治具などを用いることなく一人で簡単に、かつ、強固に組み立てることができるとともに、コストを削減することができる。
【発明を実施するための最良の形態】
【００２８】
以下、本発明の実施の形態を図面に基づいて説明する。
【００２９】
図１および図２には、本発明のダストボックス１の一実施形態が示されている。
【００３０】
このダストボックス１は、方形状の底板２と、左右各側板３，４と、背板５と、前板６と、蓋板７と、から構成され、それぞれブロー成形によって形成され、それぞれ縦横方向に適宜間隔をおいて表面と裏面とが一体化した複数個の補強部を有している。
【００３１】
底板２は、上方より見て方形状に形成されている。そして、底板２のほぼ平坦な表面側各端縁には、複数個の嵌合凹部が形成されている。具体的には、底板２の左右各端縁には、前後方向の約中間に位置してほぼ半球状の嵌合凹部２ａ（図４参照）が形成されるとともに、該半球状の嵌合凹部２ａを挟んで下方に向かって先窄まり状となる断面略直角三角
形状の一対の嵌合凹部２ｂ（図７（ａ）参照）が形成されている。これらの左右各端縁に形成された嵌合凹部２ａ，２ｂは、左右方向の中心線に関して左右対称に形成されている。また、底板２の後端縁の左右各端部および前端縁の左端部には、ほぼ半球状の嵌合凹部２ｃ（図７（ｂ）参照）が形成されるとともに、前端縁の右端部には、ほぼ半球状の嵌合凸部２ｄ（図７（ｃ）参照）が形成されている。
【００３２】
一方、底板２の表面側各端縁には、前述した嵌合凹部２ａ，２ｂ，２ｃ，２ｄの内方に位置して、方形状に連続する堤部２ｅが形成されている。そして、底板２の表面は、堤部２ｅから底板２の中央部に形成された排水口２ｆに向かって下り勾配に傾斜している。この場合、堤部２ｅは、手前側の左隅角部において、後述するように、前板６が嵌合凹部２ｃの中心を通る垂直軸回りに回動することに対応して、内方に向けて円弧状に形成されている。
【００３３】
また、底板２の左右各端縁には、嵌合凹部２ｂの外方に位置して、連結ボルト８を挿通可能な取付穴２ｇが形成されている他、底板２の裏面側各隅角部には、キャスター９を取り付けるための複数個のナット（図示せず）が埋設されている。
【００３４】
なお、排水口２ｆには、排水栓２１（図３および図４参照）が着脱自在に嵌合されている。
【００３５】
左右各側板３，４は、正面から見てほぼアーチ形状に形成され、その左右各端面には、高さ方向の略中間に位置して上方より見て前方に略コ字状に突出する方形状の一対の挾持部３１，４１が形成されている。
【００３６】
これらの左右各側板３，４の下端面には、前述した底板２の嵌合凹部２ａ，２ｂに対応して、下方に突出する半球状の嵌合凸部３ａ，４ａ（図４参照）が形成されるとともに、該半球状の嵌合凸部３ａ，４ａを挟んで一対の嵌合凸部３ｂ，４ｂ（図８（ａ）参照）が形成されている。
【００３７】
また、左右各側板３，４の外面側下端部には、嵌合凸部３ｂ，４ｂの外方に位置して内方に凹む凹部３ｃ，４ｃが形成されており、各凹部３ｃ，４ｃの底面には、連結ボルト８を挿通可能な取付穴３ｄ，４ｄが形成されている。この凹部３ｃ，４ｃの底面に形成された取付穴３ｄ，４ｄは、底板１の左右各端縁に形成された取付穴２ｇに対応して形成され、これらの取付穴２ｇ，３ｄ，４ｄに連結ボルト８を挿通し、連結ボルト８にナット８１をねじ込むことにより、底板２に左右各側板３，４を固定することができる（図５参照）。
【００３８】
さらに、左右各側板３，４の各挾持部３１，４１には、その下端面の基端部に嵌合凹部としての嵌合穴３１ａ，４１ａが形成されている（図８（ｂ）参照）。
【００３９】
一方、左右各側板３，４の上端面には、その内面側に位置して堤部３ｅ，４ｅが形成されており、この堤部３ｅ，４ｅは、左右の挾持部３１，４１の上端面の先端まで延設されている。
【００４０】
また、左右各側板３，４の上端面に形成された堤部３ｅ，４ｅには、その後部側に位置して、取付リブ３ｆ，４ｆが形成されており、各取付リブ３ｆ，４ｆには、取付穴３ｇ，４ｇが形成されている。
【００４１】
なお、左右各側板３，４の外面には、持ち運びする際の取っ手などを設けることができるように、凹部３ｈ，４ｈが形成されている。
【００４２】
背板５は、正面より見てほぼ方形状に形成されるとともに、上方より見て浅いコ字状に形成されている。そして、背板５には、その上端部側左右各隅角部に、左右各側板３，４の後方の挾持部３１，４１に対応して、方形状の切欠部５ａが形成されている。また、背板５の各切欠部５ａにおいて、その先端部には、左右各側板３，４の後方の挾持部３１，４１の下端面に形成された嵌合穴３１ａ，４１ａに対応して、上方に突出する円柱状の嵌合凸部５ｂが形成されている。さらに、背板５の下端面には、その左右各端部に、底板２の後端縁の左右各端部に形成された嵌合凹部２ｃに対応して、下方に突出する半球状の嵌合凸部５ｃが形成されている。また、背板５の上端面には、切欠部５ａを除いて、その内面側に位置して堤部５ｄが形成されている。
【００４３】
ここで、背板５の上端部側左右各隅角部に、左右各側板３，４の後方の挾持部３１，４１が嵌まり込んだ際、背板５の上端面に形成された堤部５ｄと、左右各側板３，４の後方の挾持部３１，４１の上端面にまで延設された堤部３ｅ，４ｅとが、ほぼ連続するように設定されている。
【００４４】
前板６も、背板５と同様に、正面より見てほぼ方形状に形成されるとともに、上方より見て浅いコ字状に形成されている。そして、前板６には、その上端部側左右各隅角部に、左右各側板３，４の前方の挾持部３１，４１に対応して、方形状の切欠部６ａが形成されている。また、前板６の左方の切欠部６ａにおいて、その先端部には、左方の側板３の前方の挾持部３１の下端面に形成された嵌合穴３１ａに対応して、上方に突出する円柱状の嵌合凸部６ｂが形成されている。さらに、前板６の下端面には、その左端部に、底板２の前端縁の左端部に形成された嵌合凹部２ｃに対応して、下方に突出する半球状の嵌合凸部６ｃが形成される一方、右端部に、底板２の前端縁の右端部に形成された嵌合凸部２ｄに対応して、嵌合凹部としての嵌合穴６ｄが形成されている。
【００４５】
また、前板６の上端面には、切欠部６ａを除いて、その内面側に位置して堤部６ｅが形成されている。
【００４６】
ここで、前板６の上端部側左右各隅角部に、左右各側板３，４の前方の挾持部３１，４１が嵌まり込んだ際、前板６の上端面に形成された堤部６ｅと、左右各側板３，４の前方の挾持部３１，４１の上端面にまで延設された堤部３ｅ，４ｅとが、ほぼ連続するように設定されている。
【００４７】
また、前板６の内面の上右端縁部には、係止金具、例えば、スライドボルト（図示せず）が取り付けられており、スライドボルトを押し出すことにより、その先端部分を右方の切欠部６ａに向けて突出させることができる。
【００４８】
蓋板７は、後蓋７１と、後蓋７１に形成された穴にピン７２ａが嵌合されて水平軸回りに回動自在に軸支された天板７２と、天板７２に形成された穴にピン７３ａが嵌合されて水平軸回りに回動自在に軸支された前蓋７３と、からなり、予め一体に組み立てられている（図３参照）。そして、蓋板７の裏面側各端縁の内面側には、左右各側板３，４の上端面に形成された堤部３ｅ，４ｅ、背板５の上端面に形成された堤部５ｄおよび前板６の上端面に形成された堤部６ｅに嵌合可能な凹部が形成されている。すなわち、蓋板７の後蓋７１における天板７２と接続される側の一端縁を除く他の裏面側各端縁の内面側に、背板５の上端面に形成された堤部５ｄおよび左右各側板３，４の上端面に形成された堤部３ｅ，４ｅの後方部分に嵌合可能な凹部７１ｂ（図２参照）が形成されている。また、蓋板７の天板７２の裏面側左右端縁の内面側に、左右各側板３，４の上端面に形成された堤部３ｅ，４ｅの中間部分に嵌合可能な凹部７２ｂ（図４参照）が形成されている。さらに、蓋板７の前蓋７３における天板７２と接続される側の一端縁を除く他の裏面側各端縁の内面
側に、前板６の上端面に形成された堤部６ｅおよび左右各側板３，４の上端面に形成された堤部３ｅ，４ｅの前方部分に嵌合可能な凹部７３ｂ（図３参照）が形成されている。
【００４９】
また、蓋板７の後蓋７１の左右端縁の上端には、図６に詳細に示すように、左右各側板３，４の上端縁に形成された取付リブ３ｆ，４ｆの取付穴３ｇ，４ｇに対応して、取付穴７１ｃが形成されている他、蓋板７の後蓋７１の裏面側には、ほぼ左右の取付穴７１ｃ間にわたる長さを有し、パイプの各先端にナットを固定してなるパイプ部材１０が、適宜軸線方向に摺動自在に把持されている。
【００５０】
次に、このように構成されたダストボックス１の組立要領について説明する。
【００５１】
なお、以下の組立要領の説明に際しては、底板２の後方に立って組み立てる場合を想定して左右を決定している。
【００５２】
ここで、ダストボックス１を構成する底板２、左右各側板３，４、背板５、前板６およびパイプ部材１０を配置した蓋板７は、連結ボルト８、キャスター９および取付ボルト１１（図６参照）およびナット８１、セルフタップねじ１２（図３参照）、組立工具および組立説明書とともに予め段ボール箱に梱包されており、需要が発生した際に、需要者に輸送される。
【００５３】
梱包されたダンボール箱が到着したならば、開封して底板２、左右各側板３，４、背板５、前板６および蓋板７とともに、キャスター９などの部品、組立工具および組立説明書を取り出す。次いで、底板２を裏面が上方を向くように反転して床に配置した後、その四隅に埋設されたナットを利用してキャスタ９を取付ボルトを介して固定する。
【００５４】
再び底板２を表面が上方を向くように反転した後、その後端縁に形成された嵌合凹部２ｃに、下端面に形成された背板５の嵌合凸部５ｃを嵌合させて、底板２の後端縁に背板５を立設する（図９参照）。
【００５５】
この場合、底板２の後端縁に背板５を確実に配置できるように、底板２の後端縁に、その前端縁に存在しない嵌合凸部または嵌合凹部を設けるとともに、背板５の下端面に、該嵌合凸部または嵌合凹部に嵌合可能な嵌合凹部または嵌合凸部を設けることが好ましい。
【００５６】
背板５を立設したならば、凹部３ｃ，３ｈを外面に位置した状態で、取付リブ３ｆが後方側に形成された側板３を取り出し、底板２の右端縁に形成された嵌合凹部２ａ，２ｂに、下端面に形成された側板３の嵌合凸部３ａ，３ｂを嵌合させて、底板２の右端縁に側板３を立設する（図１０参照）。この際、側板３の後方の挾持部３１が、背板５の右方の切欠部５ａに嵌まり込むとともに、該切欠部５ａの上端面に形成された嵌合凸部５ｂに後方の挾持部３１の下端面に形成された嵌合穴３１ａが嵌合し、背板５の右端部を、その右方の切欠部５ａに嵌まり込んだ側板３の後方の挾持部３１で挾持する。
【００５７】
この後、前板６を把握すると同時に、側板３をやや上方に持ち上げ、底板２の前端縁の右端部に形成された嵌合凹部２ｃに、前板６の下端面の右端部に形成された嵌合凸部６ｃを嵌合させるとともに、底板２の前端縁の左端部に形成された嵌合凸部２ｄに、前板６の下端面の左端部に形成された嵌合穴６ｄを嵌合させ、底板２の前端縁に前板６を立設した後、側板３を落とし込む（図１１参照）。この際、側板３の前方の挾持部３１が、前板６の右方の切欠部６ａに嵌まり込むとともに、該切欠部６ａの上端面に形成された嵌合凸部６ｂに前方の挾持部３１の下端面に形成された嵌合穴３１ａが嵌合し、前板６の右端部を、その右方の切欠部６ａに嵌まり込んだ側板３の前方の挾持部３１で挾持する。
【００５８】
ここで、前板６は、その下端面の右端部に形成された嵌合凸部６ｃと底板２の前端縁の右端部に形成された嵌合凹部２ｃが嵌合し、また、その右方の切欠部６ａの上端面に形成された嵌合凸部６ｂと側板３の前方の挾持部３１の下端面に形成された嵌合穴３１ａが嵌合することにより、これらの嵌合凹部と嵌合凸部との嵌合部を回転中心として垂直軸線回りに回動することができる。この際、底板２の右前隅部の堤部２ｅは、内方に向けて円弧状に形成されているため、前板６の回動を阻害することはない。
【００５９】
なお、前板６の下端面の左端部には、嵌合穴６ｄが形成され、また、底板２の前端縁の左端部には、嵌合凸部２ｄが形成されていることから、前板２の嵌合穴６ｄと底板２の嵌合凸部２ｄが嵌合することになるが、前板６の左方の切欠部６ａの上端面には、嵌合凸部６ｂが形成されていないため、前板６は、その回動時において、底板２の嵌合凸部２ｄを乗り越えて、嵌合穴６ｄが嵌合する。したがって、前板６は、前板２の嵌合穴６ｄと底板２の嵌合凸部２ｄが嵌合して、簡単に開き出さないように、保持されている。
【００６０】
次いで、他方の側板４を取り出し、底板２の左端縁に形成された嵌合凹部２ａ，２ｂに、側板４の下端面に形成された嵌合凸部４ａ，４ｂを嵌合させて、底板２の左端縁に側板４を立設する。この際、側板４の前後の挾持部４１が、背板５の左方の切欠部５ａおよび前板６の左方の切欠部６ａに嵌まり込むとともに、背板５の左方の切欠部５ａの上端面に形成された嵌合凸部５ｂに後方の挾持部４１の下端面に形成された嵌合穴４１ａが嵌合し、背板５の左端部を、その左方の切欠部５ａに嵌まり込んだ側板４の後方の挾持部４１で挾持する。
【００６１】
なお、前板６の左方の切欠部６ａには、嵌合凸部が存在しないため、側板４の前方の挾持部４１が、前板６の左方の切欠部６ａに嵌め込まれたとしても、前板６の左端部を側板４の前方の挾持部４１で挾持するものの、前板６の回動に影響を与えることはない。
【００６２】
ここで、前板６の内面の上左端縁部に固定されたスライドボルトを突出させると、その先端縁が側板４の前方の挾持部４１の内面にほぼ接するように突出することにより、前板６の開き出しを規制することができる。
【００６３】
この後、底板２の左右各端縁に形成された取付穴２ｇおよび底板２の左右各端縁に立設された左右各側板３，４の取付穴３ｄ，４ｄに連結ボルト８を挿通させるとともに、その軸部にナット８１をねじ込み、底板２に左右側板３，４を固定する。次いで、背板５の上端面、左右各側板３，４の上端面および前板６の上端面にわたって蓋板７の裏面側各端縁を被せた後、後蓋７１の後端縁の中間部および左右端縁に形成された小孔を通してタッピングねじ１２を背板５の上端面および左右各側板３，４の後方側上端面にねじ込み、蓋板７の後蓋７１を左右各側板３，４および背板５にわたって固定する。また、蓋板７の後蓋７１の裏面に配置されたパイプ部材１０の端部を左右各側板３，４の上端面に形成された取付リブ３ｆ，４ｆの取付穴３ｇ，４ｇに対向させるとともに、蓋板７の後蓋７１の上端に形成された取付穴７１ｃ、取付リブ３ｆ，４ｆの取付穴３ｇ，４ｇを通してパイプ部材１０のナットに取付ボルト１１をねじ込み、さらに蓋板７の後蓋７１を左右各側板３，４により強固に固定する。
【００６４】
このように、底板２に、背板５、側板３、前板６、側板４の順に立設した後、側板３，４を底板にボルトで固定するとともに、蓋板７を被せて、背板５、側板３、側板４にビスおよびボルトで固定するといった簡単な作業により、ダストボックス１を短時間で組み立てることができる。しかも、底板２に対して立設状態で固定される左右各側板３，４を利用して背板５および前板６を立設状態で挾持する一方、固定された左右各側板３，４および背板５に蓋板７の後蓋７１を固定することから、構成部品同士を相互に関連させて強固なダストボックス１を得ることができる。
【００６５】
この際、左右側板３，４の上端面に形成された堤部３ｅ，４ｅ、背板５の上端面に形成された堤部５ｄおよび前板６の上端面に形成された堤部６ｅに蓋板７の裏面側各端縁に形成された凹部７１ａ，７２ａ，７３ａが嵌合するため、堤部３ｅ，４ｅ，５ｄ，６ｅを乗り越えて雨水などが内部に浸入することを防止することができる。
【００６６】
一方、蓋板７の前蓋７３を持ち上げて天板７２とともに回動させ、その左右各端部を左右各側板３，４の上端凹部に係止させることにより、前蓋７３に相当する面積の開口を形成することができる（図３の一点鎖線状態参照）。また、蓋板７の前蓋７３を持ち上げて天板７２に対して回動させて折り畳むとともに、天板７２を後蓋７１に対して回動させることにより、前蓋７３および天板７２に相当する面積の開口を形成することができる（図３の二点鎖線状態参照）。したがって、ごみ袋の大きさに合わせて大小２個の投入口を形成することが可能となる。
【００６７】
さらに、スライドボルトを引き戻せば、側板４との係止状態が解除されることから、前板６をその右端部を中心として回動させることができ、前板６の面積に相当する面積の開口を形成することができる。したがって、前板６を回動させるとともに、前蓋７３および天板７２を折り畳んだ状態で後蓋７１に対して回動させることにより、図１２に示すように、ほぼダウストボックス１の幅×高さに相当する面積の大きな開口を形成することができ、内部に収容されたごみ袋を容易に引き出すことができる。
【００６８】
なお、前述した実施形態においては、底板２に嵌合凹部を形成するとともに、左右各側板３，４、背板５および前板６に、底板２の嵌合凹部に嵌合可能な嵌合凸部を形成した場合を例示したが、底板２に嵌合凸部を形成するとともに、左右各側板３，４、背板５および前板６に、底板２の嵌合凸部に嵌合可能な嵌合凹部を形成してもよい。
【００６９】
また、前板６をその右端部において、回動自在に軸支した場合を説明したが、左端部において、回動自在に軸支するようにしてもよい。この場合は、底板２の前端縁に形成された嵌合凹部と嵌合凸部および前板の右方の切欠部の上端面に形成された嵌合凸部を左右逆に形成すればよい。
【００７０】
さらに、蓋板７を固定するに際し、セルフタップねじ１２を用いて固定するとともに、左右各側板３，４の取付リブ３ｆ，４ｆおよび蓋板７の後蓋７１を、蓋板７の後蓋７１の裏面に配置されたパイプ部材１０および取付ボルト１１で挟み込んで固定する場合を説明したが、必ずしもパイプ部材を用いる必要はない。例えば、パイプ部材を用いることなくセルフタップねじのみで固定してもよい他、左右各側板３，４側において、それぞれボルトナットを用いて固定してもよい。
【産業上の利用可能性】
【００７１】
以上のように本発明によれば、ダストボックスを誰でも簡単に組み立てることができるとともに、安価に提供できることから、これまで設置されなかったマンションや事務所、コンビニエンスストアなどにも設置することが可能となる。
【図面の簡単な説明】
【００７２】
【図１】本発明のダストボックスの一実施形態を示す斜視図である。
【図２】図１のダストボックスを一部省略して示す分解斜視図である。
【図３】図１のダストボックスにおける前後方向の中心線を含む垂直面で切断した縦端面図である。
【図４】図１のダストボックスにおける左右方向の中心線を含む垂直面で切断した縦端面図である。
【図５】図１のダストボックスにおける底板と左右各側板との固定部分を示す縦端面図である。
【図６】図１のダストボックスにおける側板と蓋板の後蓋との固定部分を示す横端面図である。
【図７】底板の左右各端縁に形成された嵌合凹部を示す縦端面図、後端縁に形成された嵌合凹部を示す縦端面図および前端縁の右端部に形成された嵌合凸部を示す縦端面図である。
【図８】左右各側板の下端面に形成された嵌合凸部を示す縦端面図および挾持部に形成された嵌合穴（嵌合凹部）を示す縦端面図である。
【図９】図１のダストボックスの組立工程を示す説明図である。
【図１０】図１のダストボックスの組立工程を示す説明図である。
【図１１】図１のダストボックスの組立工程を示す説明図である。
【図１２】蓋板および前板を開放した状態を説明する斜視図である。
【符号の説明】
【００７３】
１  ダストボックス
２  底板
２ａ，２ｂ，２ｃ  嵌合凹部
２ｄ  嵌合凸部
２ｅ  堤部
２ｆ  排水口
２ｇ  取付穴
３，４  側板
３ａ，４ａ，３ｂ，４ｂ  嵌合凸部
３ｄ，４ｄ  取付穴
３ｅ，４ｅ  堤部
３１，４１  挾持部
３１ａ，４１ａ  嵌合穴（嵌合凹部）
５  背板
５ａ  切欠部
５ｂ，５ｃ  嵌合凸部
５ｄ  堤部
６  前板
６ａ  切欠部
６ｂ，６ｃ  嵌合凸部
６ｄ  嵌合穴（嵌合凹部）
６ｅ  堤部
７  蓋板
７１  後蓋
７２  天板
７３  前蓋
７１ｂ，７２ｂ，７３ｂ  凹部
８  連結ボルト
９  キャスター
１０  パイプ部材
１１  取付ボルト
１２  セルフタップねじ
【図１】
2005239395.tif 000003
【図２】
2005239395.tif 000004
【図３】
2005239395.tif 000005
【図４】
2005239395.tif 000006
【図５】
2005239395.tif 000007
【図６】
2005239395.tif 000008
【図７】
2005239395.tif 000009
【図８】
2005239395.tif 000010
【図９】
2005239395.tif 000011
【図１０】
2005239395.tif 000012
【図１１】
2005239395.tif 000013
【図１２】
2005239395.tif 000014